(57)【要約】【課題】  医療用帳票に記入された診断記録に関わるデータ処理を簡単に行えるようにする。【解決手段】  検査票１２は、診断記録を記入する医療用帳票である。検査票１２には、座標を符号化して表した符号化パターンが印刷されている。デジタルペン１７は、この符号化パターンを読み取って、ペン先の筆跡を読み取り、筆跡データをクライアント端末１６に送信する。クライアント端末１６は、この筆跡データを受信して記入された診断記録をデジタイズする。また、クライアント端末１６は、筆跡データに基づいて、デジタルペン１７の検査票１２上の所定のアクションを検出して、そのアクションをコマンドとして受け付けて、例えば、診断記録に関連するデータの検索や読み出しなど、診断記録データに関わるデータ処理を実行する。【選択図】図５
2007323445.tif 000002
【特許請求の範囲】
【請求項１】
診断記録が記入される複数の項目が配列された帳票フォームと記録面内の座標を符合化して表した符号化パターンとが重ねて印刷された医療用帳票に対して、前記診断記録を記入するペン先を持ち、このペン先の動きに合わせて前記符号化パターンを読み取ることで前記ペン先の筆跡を検出するデジタルペンと、このデジタルペンから前記筆跡のデータを受信する端末装置とからなる診断支援システムにおいて、
前記端末装置は、前記筆跡に基づいて前記診断記録をデジタル化した診断記録データを生成する診断記録データ生成部と、
前記筆跡に基づいて、前記デジタルペンによる前記医療用帳票上の所定のアクションを検出して、検出したアクションをコマンドとして受け付けて、前記診断記録データに関わるデータ処理を実行するコマンド処理部とを備えていることを特徴とする診断支援システム。
【請求項２】
前記コマンドには、前記診断記録データに関連する関連データをその格納先から読み出す処理を指令する読み出しコマンドが含まれることを特徴とする請求項１記載の診断支援システム。
【請求項３】
前記関連データには、診断に用いるために生体を撮影した医用画像データが含まれることを特徴とする請求項２記載の診断支援システム。
【請求項４】
前記医用画像データは、通信ネットワークを介して接続されたデータ保管サーバに格納されており、前記コマンド処理部は、前記読み出しコマンドを受け付けたときに、前記データ保管サーバから前記医用画像データをダウンロードすることを特徴とする請求項３記載の診断支援システム。
【請求項５】
前記コマンドには、前記診断記録データを前記データ保管サーバにアップロードして格納する処理を指令する送信コマンドが含まれることを特徴とする請求項４記載の診断支援システム。
【請求項６】
前記診断記録データは、前記医用画像データとともに前記データ保管サーバに格納されており、前記読み出しコマンドを受け付けたときに、前記医用画像データとともにダウンロードされることを特徴とする請求項５記載の診断支援システム。
【請求項７】
前記コマンドには、前記読み出しコマンドによって読み出される前記医用画像データと前記診断記録データとを関連付ける処理を指令する関連付けコマンドが含まれることを特徴とする請求項２〜６いずれか記載の診断支援システム。
【請求項８】
前記所定のアクションは、前記医療用帳票上の所定位置に印刷されたマークを前記ペン先でチェックするチェックアクションであることを特徴とする請求項１〜７いずれか記載の診断支援システム。
【発明の詳細な説明】
【技術分野】
【０００１】
本発明は、医療用帳票に記入される診断記録をデジタイズする診断支援システムに関するものである。
【背景技術】
【０００２】
近年、医療分野において、医療用帳票（例えば、カルテなどの帳票）に記入された診断記録をデジタイズ（デジタルデータ化）して保存する取り組みが盛んである。診断記録をデジタイズすることは、紙のカルテの保管スペースを大幅に削減できる他、情報の検索も簡単になるので作業効率の向上にも寄与する。
【０００３】
診断記録をデジタイズする方法の１つとして、用紙上の座標位置を符号化して表した符号化パターンを印刷した専用紙と、ボールペンやシャープペンなど筆記に用いるペン先とともに、このペン先の動きに合わせて前記符号化パターンを読み取ることでペン先の筆跡（ストローク）を検出する筆跡検出部が内蔵された専用のペン（以下、デジタルペンという）を用いる方法が提案されている（例えば、特許文献１及び特許文献２参照）。この方法によれば、専用紙をカルテ用紙として使用し、このカルテ用紙にデジタルペンで手書き記入された診断記録を簡単にデジタイズすることができる。
【０００４】
図１１に示すように、専用紙１０１には、符合化パターンとして、例えば、複数の微小なドットからなるドットパターン１０２が印刷されている。各ドットは格子状に配列されており、格子の縦横の基準線を仮想しその各交点を基準位置とすると、各ドットはその基準位置からそれぞれ上下左右のいずれかに僅かにずらして配列されている。
【０００５】
各ドットの配列ピッチは、約０．３ｍｍ程度であり、デジタルペン１０３は、例えば、６×６の３６ドットのドットパターンを１回に読み取る。各ドットの基準位置からのずれの方向は、上下左右の４方向であるので、３６ドット１組のドットパターンのずれの組み合わせは莫大な数になり、それぞれのドットパターンを重複なく敷き詰めたドットパターン空間の面積は、約６千万平方キロメートルに及ぶ。こうしたドットパターン空間を、例えば、Ｂ４，Ａ４などの所定の大きさに区画して区切り、各区画に対してパターンＩＤを付与して、１区画ずつ複数の専用紙１０１にそれぞれ割り当てる。これにより、専用紙１０１の記録面内の任意の３６ドットのドットパターンを読み取ることで、専用紙の記録面内の位置（Ｘ，Ｙ座標）を特定できるとともに、パターンＩＤから専用紙を特定することができる。
【０００６】
また、ドットパターンは、赤外線インクで印刷されているので肉眼では見えず、専用紙１０１の外見は無地の普通紙と同様である。このため、罫線によって区画され項目毎の記入欄を持つ帳票フォームを専用紙に印刷して使用することも可能である。
【０００７】
デジタルペン１０３の筆跡検出部は、撮像素子を有するカメラユニットとこのカメラユニットで撮影されたドットパターンを画像処理して筆跡を検出するプロセッサからなる。また、プロセッサ内のメモリには、複数の専用紙にそれぞれ割り当てられたパターンＩＤ毎にドットパターンの定義データ（パターン定義データ）が予め記憶されている。パターン定義データは、例えば、３６ドットの各ドットパターンの配列と、その記録面内におけるＸ，Ｙ座標との対応関係を表したものである。カメラユニットは前記ペン先の近傍に設けられており、ペン先の動きに合わせて３６ドットずつドットパターンを読み取る。プロセッサは、読み取ったドットパターンに基づいて前記ペン先の記録面内の座標を割り出して筆跡を検出する。そして、検出された筆跡のデータがパーソナルコンピュータなどの端末装置に送信される。
【０００８】
このような専用紙とデジタルペンとを利用すれば、カルテに診断記録を筆記するだけで、筆記された診断記録を順次デジタイズできるので、端末装置のコンソールからタイピングによりデータ入力するという煩雑な作業が不要となり、作業効率を大幅に向上させることができる。
【特許文献１】特開２００４−０８６２７３号公報
【特許文献２】特表２００３−５１１７６１号公報
【発明の開示】
【発明が解決しようとする課題】
【０００９】
ところで、診断に際しては、モダリティ機器によって生体を撮影した医用画像を用いて画像診断が行われることが多い。この画像データは、診断記録の関連データとして保管されるが、その検索作業を効率化することが望まれている。上述の方法は、診断記録を簡単にデジタル化できるものの、診断記録と関連する画像データなどとの連携が考慮されておらず、検索の際には、例えば、端末装置のコンソールから患者ＩＤなどを検索キーとして入力する作業が必要となる。
【００１０】
しかしながら、端末装置のコンソールから検索キーを入力して関連データを検索して読み出す作業は、回数が少なければさほどの作業負担にはならないが、上述したデータ入力作業と同様に、回数や量が多いと非常に煩わしい作業となる。例えば、地域の住民や団体の構成員などに対して集団的に行われる健康診断のように、定型的な処理を多数の受診者に対してまとめて行わなければならない場合に、特に問題となる。
【００１１】
本発明は、こうした背景に鑑みてなされたものであり、医療用帳票に記入された診断記録に関わるデータ処理を簡単に行えるようにすることを目的とする。
【課題を解決するための手段】
【００１２】
上記目的を達成するために、本発明の診断支援システムは、診断記録が記入される複数の項目が配列された帳票フォーム帳票フォームと記録面内の座標を符合化して表した符号化パターンとが重ねて印刷された医療用帳票に対して、前記診断記録を記入するペン先を持ち、このペン先の動きに合わせて前記符号化パターンを読み取ることで前記ペン先の筆跡を検出するデジタルペンと、このデジタルペンから前記筆跡のデータを受信する端末装置とからなる診断支援システムにおいて、前記端末装置は、前記筆跡に基づいて前記診断記録をデジタル化した診断記録データを生成する診断記録データ生成部と、前記筆跡に基づいて、前記デジタルペンによる前記医療用帳票上の所定のアクションを検出して、検出したアクションをコマンドとして受け付けて、前記診断記録データに関わるデータ処理を実行するコマンド処理部とを備えたことを特徴とする。
【００１３】
前記コマンドには、前記診断記録データに関連する関連データをその格納先から読み出す処理を指令する読み出しコマンドが含まれることが好ましい。また、前記関連データには、診断に用いるために生体を撮影した医用画像データが含まれることが好ましい。診断記録と医用画像という関連性の高いデータを関連付ける処理や、関連付けたデータを読み出す処理は医療現場において頻繁に行われる。こうした頻繁に行われる処理を、デジタルペンのアクションという簡単な操作で指示することができるので、作業効率を大幅に向上させることができる。
【００１４】
前記医用画像データは、通信ネットワークを介して接続されたデータ保管サーバに格納されており、前記コマンド処理部は、前記読み出しコマンドを受け付けたときに、前記データ保管サーバから前記画像データをダウンロードするようにするとよい。前記コマンドには、前記診断記録データを前記データ保管サーバにアップロードして格納する処理を指令する送信コマンドが含まれることが好ましい。また、前記診断記録データは、前記医用画像データとともに前記データ保管サーバに格納されており、前記読み出しコマンドを受け付けたときに、前記医用画像データとともにダウンロードされることが好ましい。
【００１５】
前記コマンドには、前記読み出しコマンドによって読み出される前記画像データと前記診断記録データとを関連付ける処理を指令する関連付けコマンドが含まれることが好ましい。
【００１６】
前記所定のアクションは、例えば、前記医療用帳票上の所定位置に印刷されたマークを前記ペン先でチェックするチェックアクションである。
【発明の効果】
【００１７】
本発明の診断支援システムは、デジタルペンで医療用帳票に診断記録を記入するとともに、その筆跡を検出して、端末装置で診断記録データを生成するとともに、前記筆跡に基づいて、前記デジタルペンによる前記医療用帳票上の所定のアクションを検出して、検出したアクションをコマンドとして受け付けて、前記診断記録データに関わるデータ処理を行うようにしたから、医療用帳票上のデジタルペンのアクションによって端末装置にコマンドを与えることが可能となり、医療用帳票に記入された診断記録のデジタイズとともに、デジタイズされた診断記録データに関する処理を、紙の帳票をベースとして行ってきた従来の業務フローを変更することなく、簡便に行うことができる。
【発明を実施するための最良の形態】
【００１８】
図１は、本発明の診断支援システムを用いて健康診断業務を処理する場合の業務フローを示す説明図である。丸付き数字は、業務フローの作業順序を示す番号である。地方自治体などの行政機関１１が主管となって行う健康診断では、検査結果などの診断記録を記入する検査票１２を行政機関１１が発行して、この検査票１２が、健康診断を行政機関１１から受託して担当する担当医療施設、例えば、診療所１３に交付される。
【００１９】
診療所１３の医師は、検査票１２に記載された種々の検査を行って、健康診断を実施する。検査項目には、肺ガンなどを検査するための胸部Ｘ線検査が含まれており、診療所１３では、モダリティ機器を使用して胸部Ｘ線画像１５が撮影され、その画像に基づいて一次読影診断が行われる。診療所１３の医師は、健康診断の診断記録を検査票１２に記入する。
【００２０】
読影診断は、ダブルチェックが義務づけられており、一次読影診断に加えて、読影会１４による二次読影診断が行われる。読影会１４は、地域毎に、異なる医療施設の複数の医師によって構成され、その地域の二次読影診断を担う医療施設である。診療所１３の検査が終了すると、検査票１２は、二次読影診断を行う読影会１４に持ち込まれる。読影会１４では、二次読影診断を行って、その診断記録を記入する。記入済みの検査票１２は、交付を受けた診療所１３を経由して行政機関１１に回収される。
【００２１】
また、診療所１３及び読影会１４の各医療施設には、本発明の診断支援システムがそれぞれ設置されている。診断支援システムは、端末装置であるクライアント端末１６と、デジタルペン１７とからなる。クライアント端末１６は、それぞれデータセンタ１８と通信ネットワーク１９を介して通信可能に接続されている。通信ネットワーク１９は、例えば、専用回線を使用した閉域通信ネットワークである。もちろん、閉域通信ネットワーク以外でも、一般回線を使用した公衆型の通信ネットワークを使用してもよい。公衆型の通信ネットワークを使用する場合には、暗号化など情報の漏洩を防止するためのセキュリティ対策を、専用回線を使用する場合に比べてより強化することが好ましい。
【００２２】
データセンタ１８は、受診者の診断記録や診断に際して取得される画像などの検査データを医療情報として保管するデータ保管サービスを、会員である医療施設に提供する。こうしたデータセンタ１８は、これを利用する医療施設にとって、各医療施設が自前でデータ保管設備を保有する負担を軽減できるというメリットがある。また、複数の医療施設の医療情報をデータセンタ１８が一括して管理することになるため、データの共有化が容易になり、異なる医療施設の間で連携を強化できるというメリットも得られる。
【００２３】
クライアント端末１６は、必要に応じてデータセンタ１８にアクセスして、医療情報のアップロードやダウンロードを行う。データセンタ１８には、ＨＤＤ（ハードディスクドライブ）などのストレージユニット２０が設けられており、このストレージユニット２０に、クライアント端末１６からアップロードされたデータが格納される。これらのデータは、種々の検索キーで検索ができるように、データベース化されて格納される。
【００２４】
健康診断の際には、デジタルペン１７を用いて検査票１２に記入される診断記録がデジタルデータ化される。この診断記録データとその診断に用いられた胸部Ｘ線画像１５の画像データとからなる検査データが、医療情報として、診療所１３のクライアント端末１６からデータセンタ１８へアップロードされる。データセンタ１８は、アップロードされた検査データを受診者単位で格納する。
【００２５】
読影会１４は、データセンタ１８にアクセスして検査データを読影会１４のクライアント端末１６にダウンロードして、二次読影診断を行う。そして、その読影結果を検査データに反映させて検査データを更新した後、更新した検査データをデータセンタ１８へアップロードする。
【００２６】
図２に示すように、検査票１２は、受診者の氏名、受診者ＩＤ、生年月日、性別、住所などの受診者属性、検査を担当する医師名、医療施設コード、診査日付などの基本情報を記入する記入欄と、尿検査、理学的所見、血液検査、心電図、眼底検査、胸部Ｘ線検査などの検査項目毎に診断記録を記入する複数の記入欄が配列された帳票フォームが紙に印刷されたものである。また、検査票１２の右上方には、複数のチェックボックス１２ａ，１２ｂ，１２ｃが設けられている。これらのチェックボックス１２ａ〜１２ｃは、後述するように、デジタルペン１７のペン先のアクションによってクライアント端末１６に対してコマンドを入力するためのものである。
【００２７】
図３に示すように、検査票１２は、デジタルペン１７によって筆跡を読み取れるように、専用紙が用いられる。検査票１２は、無地の紙のシート２１上に、シート２１の記録面内の座標を符号化して表したドットパターン２２が印刷されており、帳票フォーム２３は、ドットパターン２２と重ねてシート２１に印刷される。図４に示すように、各シート２１（「１」〜「ｎ」）には、それぞれパターンＩＤ（「ＩＤ＝１」〜「ＩＤ＝ｎ」）が異なるドットパターン２２が割り当てられる。これにより、各シート２１には、それぞれ固有の配列のドットパターン２２がそれぞれ割り当てられる。このため、検査票１２内の任意の位置のドットパターン２２を読み取れば、記入された筆跡が、どの検査票１２のどの位置に記入された筆跡かを特定することができる。
【００２８】
検査票１２は、行政機関１１の管理の下に、ドットパターン２２の印刷機能を備えたプリンタ２６（図１参照）を用いて印刷される。このプリンタ２６は、行政機関１１が保有するものであってもよいし、行政機関１１が業務委託する印刷業者が保有するものであってもよい。検査票１２はシート毎に固有のドットパターン２２が割り当てられるため、行政機関１１は、検査票１２を発行する際に、複数のシート２１に同じ配列のドットパターン２２が印刷されてしまうことがないようにパターンＩＤを管理する。そして、診療所１３に検査票１２を交付する際に、その検査票１２のパターンＩＤを把握する。
【００２９】
行政機関１１は、検査票１２とともに、それに対応するパターンＩＤのドットパターン２２のパターン定義データを、診療所１３及び読影会１４に交付する。このパターン定義データは、デジタルペン１７に登録され、デジタルペン１７による検査票１２の記録面の座標の割り出しに使用される。
【００３０】
図５は、デジタルペン１７と、クライアント端末１６の概略構成図である。デジタルペン１７は、本体３０に、筆記用のペン先３１、このペン先３１にインクを供給するインクカートリッジ３２、カメラユニット３３、イメージプロセッサ３４、メモリ３６、無線通信Ｉ／Ｆ３７、バッテリ３８が設けられている。
【００３１】
カメラユニット３３は、ＣＣＤやＣＭＯＳなどの撮像素子を備えドットパターンを読み取ってその撮像信号を出力する。また、カメラユニット３３には、読み取り位置に向けて赤外線を照射する赤外線ライト（図示せず）が設けられている。撮像素子は、読み取り位置で反射した反射光を受光してドットパターンを読み取る。デジタルペン１７には、ペン先３１の筆圧を検知する筆圧センサ（図示せず）が設けられており、筆圧が所定値に達している期間、カメラユニット３３が読み取りを行う。
【００３２】
メモリ３６には、上記パターン定義データが予め記憶される。イメージプロセッサ３４は、カメラユニット３３からの撮像信号に対して画像処理を行って読み取ったドットパターンを認識する。そして、パターン定義データを参照して、ドットパターンに対応するペン先３１の座標を割り出して、筆跡データに変換する。筆跡データには、検査票１２を特定するためのパターンＩＤなどが付加される。この筆跡データがメモリ３６に格納される。無線通信Ｉ／Ｆ３７は、例えば、近距離無線通信の規格（ＩｒＤＡ，Ｂｌｕｅｔｏｏｔｈ（登録商標）など）に則った通信ユニットであり、この無線通信Ｉ／Ｆ３７を通じて筆跡データがリアルタイムでクライアント端末１６に送信される。
【００３３】
クライアント端末１６は、周知のパーソナルコンピュータやワークステーションなどであり、ＣＰＵ４１と、メモリ４２と、ＨＤＤ４３と、無線通信Ｉ／Ｆ４４と、ネットワークＩ／Ｆ４６と、コンソール４７とを有している。また、これらの各部は、バス４８を介して互いに接続されている。ＣＰＵ４１は、装置の各部を統括的に制御する。
【００３４】
コンソール４７は、キーボード５１，マウス５２，モニタ５３からなる。モニタ４３には、操作画面の他、種々のデータが表示される。マウス５２及びキーボード５１は、ＣＰＵ４１に対して操作コマンドを入力する他、各種のデータを入力する入力装置である。マウス５２は、操作画面に表示されたポインタを移動させてアイコンのクリックなどを行う周知のポインティングデバイスである。ネットワークＩ／Ｆ４６は、クライアント端末１６を通信ネットワーク１９に接続するための通信インターフェースである。
【００３５】
無線通信Ｉ／Ｆ４４は、デジタルペン１７からの筆跡データを受信する通信ユニットである。なお、デジタルペン１７とクライアント端末１６との通信を無線で行っている例で説明しているが、無線でなくてもよく、例えば、ＵＳＢなどの有線通信規格に則った通信Ｉ／Ｆを使用して有線で行ってもよい。
【００３６】
また、デジタルペン１７とクライアント端末１６との間で直接通信するのではなく、例えば、クレードル装置を介して通信してもよい。クレードル装置は、デジタルペン１７が着脱自在に装着されるペン立て部を備え、デジタルペン１７とクライアント端末１６との間の通信を中継する中継機能を備えたものである。この場合には、例えば、このクレードル装置にデジタルペン１７が装着されたときに、そのメモリ３６内の筆跡データの送信が開始されるようにしておくとよい。
【００３７】
ＨＤＤ４３には、診断支援プログラム５６がインストールされている。ＣＰＵ４１は、診断支援プログラム５６が起動されると、デジタルペン１７からの筆跡データに基づいて、記入された診断記録をデジタイズした診断記録データを生成する診断記録データ生成部４１ａと、デジタルペン１７の検査票１２上の所定のアクションを検出して、これをコマンドとして受け付けて、診断記録データに関わるデータ処理を実行するコマンド処理部４１ｂとして機能する。
【００３８】
筆跡データは、検査票１２の座標位置を表すデータの集合であり、診断記録データ生成部４１ａは、その座標データから、検査票１２上の筆跡のイメージを復元して診断記録データを生成する。例えば、検査票１２に「１２３４」という数字が記入された場合には、その座標位置を表すデータの集合が筆跡データとして送信され、その筆跡データから、「１２３４」という筆跡のイメージが復元される。
【００３９】
また、筆跡データには、検査票１２を特定するパターンＩＤが含まれているので、診断記録データ生成部４１ａは、このパターンＩＤに基づいて異なる検査票１２に記入された筆跡データを識別し、検査票１２毎に、診断記録データを生成する。
【００４０】
ＨＤＤ４３には、帳票テンプレート５７が予め記憶されている。帳票テンプレート５７は、検査票１２の帳票フォーム２３のイメージデータと、帳票定義データ５８（図６参照）とからなる。この帳票テンプレート５７は、上記パターン定義データとともに、行政機関１１から交付される。生成した診断記録データは、帳票テンプレート５７のイメージデータと合成されてモニタ５３やプリンタに出力される。これにより、検査票１２のイメージがそのままモニタ５３やプリントで再現される。
【００４１】
図６に示すように、帳票定義データ５８には、検査票１２の座標位置（座標１〜座標ｎ）と、帳票フォーム２３の記入欄を有する各項目（項目１〜項目ｎ）との位置関係が定義されている。座標位置は、例えば、各項目が位置する座標の範囲を示す情報である。
【００４２】
診断記録データ生成部４１ａは、この帳票定義データ５８に基づいて、生成した診断記録データを、それぞれの項目に割り当てる。例えば、「１２３４」という診断記録データが、座標１に該当する場合には、そのデータは項目１の受診者ＩＤであると判定されて、当該項目に割り当てられる。また、「富士一郎」という診断記録データが座標２に該当する場合には、項目２の氏名と判定されて、当該項目に割り当てられる。また、項目５１や項目５２の心電図や眼底検査のように、帳票フォーム２３に予め記載された選択肢に「丸」を付すようになっている項目には、その「丸」のマークが対応する選択肢に割り当てられる。さらに、帳票定義データ５８には、胸部Ｘ線検査の項目内にある肺の模式図の位置（座標）も定義されており、その位置に記入された絵やマークなどは、その模式図のイメージと合成されるように割り当てられる。
【００４３】
また、帳票定義データ５８には、例えば、各項目に割り当てられるデータの属性を表す属性情報が定義されている。属性には、例えば、「テキスト」、「非テキスト」の２つの属性がある。項目１〜項目５のように、「テキスト」である場合には、その項目に割り当てられるデータの属性が、テキストに変換されるべきデータであることを示し、項目５１，５２のように、「非テキスト」である場合には、その項目に割り当てられるデータの属性が、図形や絵柄マークなどのテキストに変換不能なデータであることを示す。
【００４４】
診断記録データは、一次的にはイメージデータとして生成される。そして、診断記録データ生成部４１ａは、属性が「テキスト」である項目の診断記録データに対しては、文字認識処理を施してテキストデータに変換する。属性が「非テキスト」である項目の診断記録データに対しては、そのままイメージデータ（例えば、丸印やチェックマークなど）として保存する。また、属性が「テキスト」であっても、文字認識が不能な場合には、イメージデータとして保存する。このようにして生成された診断記録データは、所定のファイルフォーマット（例えば、ＸＭＬなど）でＨＤＤ４３に保存される。
【００４５】
診断記録データをテキストデータに変換することで、イメージデータのまま保存する場合と比べて、保存したデータの編集や整理が容易になる。また、項目毎に属性情報を定義しておくことで、属性が「テキスト」と定義されたイメージデータに絞って文字認識処理を行うことができるので、処理効率が向上する。また、項目毎に文字認識処理を行うことで、記入される文字の予測がある程度可能となり、文字認識率も向上する。
【００４６】
デジタルペン１７からの筆跡データは、リアルタイムでクライアント端末１６に向けて送信されるので、診断記録データ生成部４１ａは、受信する筆跡データに応じて、ＨＤＤ４３内の診断記録データを随時更新する。これにより、検査票１２への追記や修正が、リアルタイムでデータに反映される。また、クライアント端末１６のモニタ５３の画面には、帳票フォーム２３のイメージが表示され、生成された診断記録データが、帳票フォーム２３内の対応する項目に順次表示される。
【００４７】
図７に示すように、検査票１２に設けられた３つのチェックボックス１２ａ〜１２ｃは、上述したとおり、デジタルペン１７のアクションによってクライアント端末１６にコマンドを入力するためのものである。各チェックボックス１２ａ〜１２ｃは、矩形のマークであり、その座標位置は、前記帳票定義データ５８の項目６１〜６３でそれぞれ定義されている。
【００４８】
コマンド処理部４１ｂは、この帳票定義データ５８を参照して、筆跡データが各チェックボックス１２ａ〜１２ｃのいずれかに該当するか否かを判定して、該当する場合には、その筆跡データがチェックアクションを行った筆跡か否かを調べる。つまり、筆跡の位置と形状を調べて、そのアクションが所定のアクションか否かを検出する。そして、コマンド処理部４１ｂは、チェックアクションを検出すると、それぞれのチェックボックス１２ａ〜１２ｃに予め割り当てられたコマンドに応じた処理を実行する。
【００４９】
コマンドとしては、診断記録データに関わるデータ処理を指令するコマンドが割り当てられる。まず、チェックボックス１２ａには、診断記録データと、診断の際に取得された胸部Ｘ線画像１５の画像データとを検査データとして関連付ける処理を指令する関連付けコマンドが割り当てられる。胸部Ｘ線画像１５の画像データには、撮影時に受診者ＩＤが入力されている。チェックボックス１２ａがチェックされると、コマンド処理部４１ｂは、受診者ＩＤに基づいて、診断記録データと、それに対応する画像データを検索して、両者を関連付けて検査データとしてまとめる。こうして関連付けられた検査データは、ＨＤＤ４３に保存される。
【００５０】
チェックボックス１２ｂには、クライアント端末１６から検査データを格納先のデータセンタ１８にアップロードする処理を指令するアップロードコマンドが割り当てられている。このチェックボックス１２ｂがチェックされると、コマンド処理部４１ｂは、データセンタ１８に対して送信要求を送り、ＨＤＤ４３に保存された検査データをデータセンタ１８にアップロードする。
【００５１】
データセンタ１８では、アップロードされた検査データを受診者ＩＤ毎に検査データＤＢに格納する。また、検査データのアップロードがなされた後、検査票１２に対して追記や修正が生じ、修正された検査データが再度アップロードされた場合には、検査データＤＢ内の検査データが更新される。また、検査データには、読み取り元の検査票１２を特定する情報として、筆跡データに含まれる前記パターンＩＤが付加されてデータセンタ１８へアップロードされる。
【００５２】
チェックボックス１２ｃには、データセンタ１８に格納された検査データをクライアント端末１６にダウンロードする処理を指令するダウンロードコマンドが割り当てられている。このチェックボックス１２ｃがチェックされると、コマンド処理部４１ｂは、データセンタ１８に対して配信要求を送る。この配信要求には、例えば、データセンタ１８のＵＲＬとともに、デジタルペン１７がチェックボックス１２ｃをチェックした際に読み取った筆跡データが付帯される。
【００５３】
データセンタ１８は、受信した配信要求から筆跡データを取り出し、それに含まれるパターンＩＤに基づいて検査データＤＢを検索して、パターンＩＤが一致する検査データを特定する。特定された検査データは、クライアント端末１６に向けて配信される。クライアント端末１６は、検査データがダウンロードされると、その検査データをモニタ５３に表示する。モニタ５３には、例えば、診断記録と、その関連データである胸部Ｘ線画像とが並列的に表示される。もちろん、両者を１つずつ表示してもよいし、表示方法を切り替えられるようにしてもよい。
【００５４】
なお、本例では、診断記録データと画像データとの関連付けをクライアント端末１６で行う例で説明しているが、この関連付け処理は、クライアント端末１６で行わなくてもよく、データセンタ１８がアップロードされたデータに対して行うようにしてもよい。
【００５５】
また、本例では、チェックボックス１２ａ〜１２ｃのチェックアクションを検出するようにしているが、チェックアクション以外でもよく、例えば、各チェックボックス１２ａ〜１２ｃをポイントするアクションや、丸で囲むアクションなどでもよい。また、チェックボックス１２ａ〜１２ｃの形状を矩形とした例で示しているが、この形状に限定されるものではなく、円形、三角形など他の形状でもよいし、また、図形マークの代わりに絵柄などを使用したマークを使用してもよい。
【００５６】
図８のフローチャートに示すように、クライアント端末１６は、診断支援プログラム５６が起動されると、デジタルペン１７からの筆跡データを待機する待機状態となる。筆跡データを受信すると、帳票定義データ５８に基づいて筆跡データの帳票フォーム２３内の位置を調べる。その筆跡データが、各チェックボックス１２ａ〜１２ｃに対するチェックアクションである場合には、それをコマンドとして受け付けて所定の処理を実行する。他方、筆跡データが、所定のアクションでない場合には、診断記録データを生成する。
【００５７】
以下、上記構成による作用について、図１の業務フローを参照しながら説明する。検査票１２は、プリンタ２６によって１枚毎に異なるドットパターン２２が印刷されて、診療所１３に交付される。診療所１３の医師は、この検査票１２に基づいて検査を行い、診断支援プログラムを起動して、診断記録を検査票１２にデジタルペン１７を用いて記入する。クライアント端末１６は、デジタルペン１７から受信した筆跡データに基づいて診断記録データを生成して、ＨＤＤ４３に保存する。これにより、診断記録がデジタイズされる。
【００５８】
診療所１３の医師は、検査票１２に診断記録を記入した後、デジタルペン１７でチェックボックス１２ａ及びチェックボックス１２ｂを順にチェックする。クライアント端末１６は、筆跡データに基づいて各チェックボックス１２ａ，１２ｂのチェックアクションを検出する。クライアント端末１６は、チェックボックス１２ａのチェックアクションを関連付けコマンドとして受け付けて、診断記録データと画像データとを関連付けて検査データとしてまとめる。そして、チェックボックス１２ｂのチェックアクションをアップロードコマンドとして受け付けて、検査データをデータセンタ１８へアップロードする。こうした手順が健康診断の受診者の人数分繰り返されて、受診者毎の検査データがデータセンタ１８へアップロードされる。
【００５９】
健康診断は、医師の手元に検査票１２を置いて、受診者と面談しながら診断を行い、その診断記録を検査票１２に随時書き込んでいくというスタイルで進められるケースが多い。デジタルペン１７とクライアント端末１６を用いることで、こうした従来の作業スタイルをなんら変更することなく、診断記録をデジタイズすることができる。
【００６０】
現行の健康診断の検査票の用紙は、例えば、カーボンシートで複写可能な３枚綴りの用紙が用いられており、１枚が行政機関１１に回収され、その控えを診療所１３、受診者が受け取るようになっている。診断記録をデジタイズすることで、診療所１３は、検査票１２の診断記録をデータとして保管することができるので、用紙の保管スペースが不要になる。また、受診者の控えは、データをプリントして作成することができる。
【００６１】
また、画像データと診断記録データとの関連付けや、そうした検査データのデータセンタ１８へのアップロードもデジタルペン１７のチェックアクションで指示することができるので、医師がコンソール４７に向かってコマンドを入力する入力操作も不要であり、作業負荷が増加することも無い。
【００６２】
診療所１３の医師は、検査が終了すると、記入済みの検査票１２を読影会１４に持ち込む。読影会１４では、クライアント端末１６の診断支援プログラムを起動して、持ち込まれた検査票１２のチェックボックス１２ｃをデジタルペン１７でチェックする。クライアント端末１６は、そのチェックアクションを検出すると、これをダウンロードコマンドとして受け付けて、データセンタ１８へ検査データの配信要求を送信する。配信要求には、筆跡データから取り出したパターンＩＤが含まれているので、データセンタ１８は、このパターンＩＤに基づいて、該当する検査データを特定する。この検査データが読影会１４のクライアント端末１６へダウンロードされる。
【００６３】
クライアント端末１６のモニタ５３には、ダウンロードした検査データ（診断記録及び胸部Ｘ線の画像データ）が表示される。読影会１４の医師は、モニタ５３に表示された画像を見ながら、二次読影診断を行い、その読影診断結果を検査票１２にデジタルペン１７で記入する。クライアント端末１６は、デジタルペン１７からの筆跡データに基づいて、ダウンロードした検査データを更新する。読影診断結果を記入した後、デジタルペン１７でチェックボックス１２ｃがチェックされると、クライアント端末１６は、アップロードコマンドとして受け付けて、更新された検査データをデータセンタ１８へアップロードする。読影会１４では、こうした作業を持ち込まれた検査票１２の数だけ繰り返して二次読影診断を行う。
【００６４】
このように、二次読影診断に必要な画像は、データセンタ１８を利用して、診療所１３から読影会１４に受け渡される。こうすることで、診療所１３の医師は、胸部Ｘ線画像１５が記録されたフイルムを読影会１４に持ち込まずに済むので、作業負担が軽減される。受診者の数が多い健康診断においては、こうした持ち込み作業の負担は無視できず、負担軽減によるメリットは大きい。
【００６５】
また、このようにデータの受け渡しにデータセンタ１８を利用するようにしても、読影会１４は、検査票１２に対するデジタルペン１７のペンアクションだけで、読影診断結果の記入及びデジタイズ、データセンタ１８へのデータのアップロード及びダウンロードなどのデータ処理を行うことができるので、従来と比較して作業負担が増えることもない。
【００６６】
こうして、二次読影が終了した後、記入済みの検査票１２は、診療所１３を経由して、行政機関１１に回収される。行政機関１１などでは、規則等によって紙で検査票１２を保管しなければならない場合も多い。検査票１２は、デジタルペン１７で読み取り可能な専用紙が用いられるが、見た目には普通紙と変わりないので、この検査票１２をそのまま保管に供することができる。
【００６７】
受診者に対しては、プリントした検査票が診療所１３から送られて、検査結果が通知される。なお、検査票を送付する代わりに、受診者の検査データの格納先のＵＲＬなどを通知して、受診者がデータセンタ１８にアクセスして検査結果を参照できるようにしてもよい。
【００６８】
また、図９に示すように、デジタルペン１７とクライアント端末１６からなる診断支援システムを行政機関１１にも配備して、行政機関１１がデータセンタ１８を利用して種々のデータの受け渡しをするようにしてもよい。上述したとおり、行政機関１１は、交付する検査票１２のパターン定義データや帳票テンプレートのデータなどを、診療所１３や読影会１４に交付しなければならない。こうしたデータをデータセンタ１８にアップロードして、診療所１３や読影会１４がダウンロードするようにすれば、データの受け渡しが簡便になる。
【００６９】
また、こうすれば、回収された検査票１２の検査データが必要な場合には、検査票１２のチェックボックスをデジタルペン１７でチェックすることで、データセンタ１８から検査データをダウンロードできる。行政機関１１は、健康診断の結果を分析して、その地域の住民の健康状態を把握したり、その分析結果を、健康増進対策などの種々の施策を立案する際の基礎資料として活用する場合もある。こうした分析を行うためには、文書がデータ化されていると便利である。データセンタ１８を利用すれば、タイピングによってデータ入力を行うことなく検査データが得られるので、業務の省力化にも寄与する。
【００７０】
また、データセンタ１８の検査データＤＢには、単年度の検査データだけでなく、過去の複数年に渡る検査データを、受診者毎に格納しておいてもよい。こうすれば、各医療施設や行政機関は、過去の検査データが必要な場合に、データセンタ１８にアクセスしてデータをダウンロードすることができる。行政機関１１は、地域の住民の健康状態の把握に当たって、過去の検査結果を利用すれば、健康状態の経年変化の把握などが可能になる。また、診療所などの医療施設では、受診者の過去の検査履歴の把握が可能となる。
【００７１】
さらに、過去に他の医療施設で健康診断を受けた受診者を引き継ぐような場合にも、データセンタ１８を利用すれば過去の検査履歴を参照しやすい。ただし、異なる医療施設間で受診者のデータを受け渡す場合には、受診者のプライバシーに配慮して受診者の同意を得るとともに、一定期間のみアクセスを可能とするなどのセキュリティ対策を講じるとよい。
【００７２】
このように、過去の検査データをデータセンタ１８に保管する場合には、図１０に示すように、検査票１２に、過去の検査データをダウンロードするコマンドを割り当てたチェックボックス１２ｄを設けるとよい。クライアント端末１６は、このチェックボックス１２ｄがデジタルペン１７でチェックされると、そのアクションをコマンドとして受け付けて、データセンタ１８に対して配信要求を送信する。
【００７３】
検査票１２は、毎年異なるため、そのパターンＩＤも変化する。デジタルペン１７から受信する筆跡データには、その年の検査票１２のパターンＩＤしか含まれないので、データセンタ１８は、そのパターンＩＤに基づいて、例えば、受診者ＩＤを割り出し、その受診者ＩＤから過去の検査データを検索する。こうした過去の検査データが特定される。
【００７４】
また、上記実施形態では、検査データのダウンロードに際して、診断記録データと画像データの両方に対してアップロード処理やダウンロード処理がなされる例で説明したが、必要に応じていずれか一方のデータのみのアップロード又はダウンロードがなされるようにしてもよい。例えば、診断記録については検査票１２上で確認できるので、画像データのみをモニタで確認したいというような場合には、その診断記録と関連付けられた画像データのみをダウンロードできるようにすると便利である。
【００７５】
また、上記実施形態では、データ保管サーバであるデータセンタを、検査データの格納先に設定し、その格納先から検査データをダウンロードしたり、その格納先へアップロードするようにしているが、検査データの格納先は必ずしもデータセンタでなくてもよく、例えば、クライアント端末内のストレージユニットでもよいし、医療施設内のＬＡＮで接続されたストレージユニットでもよい。
【００７６】
また、上記実施形態では、デジタルペンのアクションを検出して受け付けるコマンドとして、関連付けコマンド、アップロードコマンド、ダウンロードコマンドの３つのコマンドを例に説明したが、診断記録データに関するコマンドであれば、他のコマンドでもよい。診断記録データに関するコマンドとしては、例えば、各検査項目の診断の際に医師が参照すべきデータを読み出してモニタに表示するコマンド、医師が受診者に対して検査結果を説明する際に、説明資料のデータを読み出してモニタに表示するコマンドなど、各種のコマンドが考えられる。こうしたコマンドが割り当てられるチェックボックスは、コマンドと項目との対応関係が明確になるように、該当する項目の傍らに配置されるとよい。
【００７７】
また、いったん検査票に記入した記録を訂正する場合に、例えば、その訂正対象となる記録をデジタルペンでかき消すジェスチャなどのアクションを行うと、データが消去されるというように、所定のジェスチャを検出して、これをコマンドとして受け付けるようにしてもよい。
【００７８】
また、上記実施形態では、シート毎に固有のドットパターンを割り当てた検査票を使用した例で説明しているが、ドットパターンはシート毎に固有のものでなくてもよく、帳票フォーム内の項目と座標との対応関係を表す１つのドットパターンを使用してもよい。つまり、ドットパターンを帳票フォームの種類を特定するために利用してもよい。ただし、この場合には、複数の人の検査票に同じドットパターンが使用されることになるので、筆跡データからはシートの特定ができず、従って、誰の検査票であるかを特定することができない。そのため、誰の検査票かを特定するために、筆跡データに加えて受診者ＩＤなどを入力する必要がある。
【００７９】
また、上記実施形態では、本発明の診断支援システムを、地域の診療所で実施される健康診断業務に適用した例で説明したが、企業内の健康診断などに適用してもよい。また、上記実施形態では、本発明を健康診断業務を例に説明しているが、健康診断業務以外に適用してもよい。例えば、検査票の代わりに、診療所や病院の院内のカルテなどの医療用帳票を用い、この医療用帳票に記入される診断記録を、本発明の診断支援システムでデジタイズしたり、医療用帳票上のデジタルペンのアクションを検出して、検出したアクションをコマンドとして受け付けて、診断記録データに関わるデータ処理を実行させるようにしてもよい。
【図面の簡単な説明】
【００８０】
【図１】本発明の診断業務支援システムを使用した健康診断業務の業務フローの説明図である。
【図２】検査票の帳票フォームの説明図である。
【図３】検査票の印刷方法の説明図である。
【図４】検査票のシートとパターンＩＤとの対応関係の説明図である。
【図５】デジタルペンとクライアント端末の概略構成図である。
【図６】帳票定義データの説明図である。
【図７】コマンドに対応するチェックボックスの説明図である。
【図８】クライアント端末の処理手順を示すフローチャートである。
【図９】行政機関をデータセンタと接続した場合の利用例を示す説明図である。
【図１０】別の実施形態のチェックボックスの説明図である。
【図１１】デジタルペンと専用紙の説明図である。
【符号の説明】
【００８１】
１２  検査票
１２ａ〜１２ｃ  チェックボックス
１６  クライアント端末
１７  デジタルペン
１８  データセンタ
２０  ストレージユニット
４１  ＣＰＵ
４１ａ  診断記録データ生成部
４２ａ  コマンド処理部
４３  ＨＤＤ
５６  診断支援プログラム
５７  帳票テンプレート
５８  帳票定義データ
【図１】
2007323445.tif 000003
【図２】
2007323445.tif 000004
【図３】
2007323445.tif 000005
【図４】
2007323445.tif 000006
【図５】
2007323445.tif 000007
【図６】
2007323445.tif 000008
【図７】
2007323445.tif 000009
【図８】
2007323445.tif 000010
【図９】
2007323445.tif 000011
【図１０】
2007323445.tif 000012
【図１１】
2007323445.tif 000013